(57)【要約】【課題】画像データの取得態様を容易に特定すること。【解決手段】実施形態に係る管理装置は、取得部と、特定部とを具備する。取得部は、捕獲対象である動物を撮像した画像データをユーザの端末装置を介して取得する。特定部は、取得部によって取得された画像データの撮像時に付与された特定情報と、ユーザの識別情報、撮像日時、および撮像場所の少なくとも１つを含む付加情報を撮像時に画像データに付与させるアプリケーションにより付与された付加情報とに基づき、ユーザによる当該画像データの取得態様を特定する。【選択図】図２
2020119217.tif 000002
【特許請求の範囲】
【請求項１】
捕獲対象である動物を撮像した画像データをユーザの端末装置を介して取得する取得部と；
前記取得部によって取得された前記画像データの撮像時に付与された特定情報と、ユーザの識別情報、撮像日時、および撮像場所の少なくとも１つを含む付加情報を撮像時に前記画像データに付与させるアプリケーションにより付与された付加情報とに基づき、前記ユーザによる当該画像データの取得態様を特定する特定部と；
を具備する管理装置。
【請求項２】
前記付加情報は、
前記アプリケーションにより付与された所定の隠し情報であり、
前記特定部は、
前記隠し情報に基づいて前記取得態様を特定する、請求項１に記載の管理装置。
【請求項３】
前記特定部は、
前記特定情報と、前記付加情報とを比較することにより前記取得態様を特定する、請求項１に記載の管理装置。
【請求項４】
捕獲対象である動物を撮像した画像データをユーザの端末装置を介して取得する取得工程と；
前記取得工程によって取得された前記画像データの撮像時に付与された特定情報と、ユーザの識別情報、撮像日時、および撮像場所の少なくとも１つを含む付加情報を撮像時に前記画像データに付与させるアプリケーションにより付与された付加情報とに基づき、前記ユーザによる当該画像データの取得態様を特定する特定工程と；
を含む管理方法。
【発明の詳細な説明】
【技術分野】
【０００１】
本発明の実施形態は、管理装置および管理方法に関する。
【背景技術】
【０００２】
農作物に被害を及ぼすイノシシやシカ等の害獣を捕獲した場合、その証拠として自治体等に当該捕獲した動物（以降、獲物）の画像データを提出し、報奨金を得る制度がある。
【先行技術文献】
【特許文献】
【０００３】
【特許文献１】特開２００１−１４８９５７号公報
【発明の概要】
【発明が解決しようとする課題】
【０００４】
しかしながら、従来は、画像データがどのような取得態様で取得されたかを特定することは容易ではなかった。例えば、画像データの使い回しや、インターネットに他人がアップした画像データをダウンロードして申請用として使用する等の不正な画像データの取得態様を特定することは容易ではなかった。
【０００５】
本発明が解決しようとする課題は、画像データの取得態様を容易に特定することができる管理装置および管理方法を提供することを目的とする。
【課題を解決するための手段】
【０００６】
実施形態に係る管理装置は、取得部と、特定部とを具備する。前記取得部は、捕獲対象である動物を撮像した画像データをユーザの端末装置を介して取得する。前記特定部は、前記取得部によって取得された前記画像データの撮像時に付与された特定情報と、ユーザの識別情報、撮像日時、および撮像場所の少なくとも１つを含む付加情報を撮像時に前記画像データに付与させるアプリケーションにより付与された付加情報とに基づき、前記ユーザによる当該画像データの取得態様を特定する。
【図面の簡単な説明】
【０００７】
【図１】図１は、実施形態に係る支援システムの構成例を示す図である。
【図２】図２は、実施形態に係る管理装置の構成例を示すブロック図である。
【図３】図３は、特定部の処理内容を示す図である。
【図４】図４は、特定部の処理内容を示す図である。
【図５】図５は、実施形態に係る支援システムのアプリ登録処理の処理手順を示すシーケンス図である。
【図６】図６は、実施形態に係る支援システムの特定処理の処理手順を示すシーケンス図である。
【発明を実施するための形態】
【０００８】
以下で説明する実施形態に係る管理装置２０は、取得部２２ｂと、特定部２２ｃとを具備する。取得部２２ｂは、捕獲対象である動物を撮像した画像データ２００をユーザの端末装置１０を介して取得する。特定部２２ｃは、取得部２２ｂによって取得された画像データ２００の撮像時に付与された特定情報２２０に基づき、ユーザによる画像データ２００の取得態様を特定する。
【０００９】
以下で説明する実施形態に係る管理装置２０は、提供部２２ａを具備する。提供部２２ａは、ユーザの識別情報、撮像日時、および撮像場所のうち少なくとも１つを含む付加情報２３０を撮像時に画像データ２００に付与させる専用アプリケーションを端末装置１０へ提供する。特定部２２ｃは、専用アプリケーションにより付与された付加情報２３０に基づいて取得態様を特定する。
【００１０】
以下で説明する実施形態に係る管理装置２０は、提供部２２ａを具備する。提供部２２ａは、所定の隠し情報２４０を撮像時に画像データ２００に付与させる専用アプリケーションを提供する。特定部２２ｃは、専用アプリケーションにより付与された隠し情報２４０に基づいて取得態様を特定する。
【００１１】
以下、図面を参照して、実施形態に係る管理装置および管理方法について説明する。実施形態において同一の部位には同一の符号を付し、重複する説明は省略される。
【００１２】
図１は、実施形態に係る支援システムの構成例を示す図である。支援システム１は、害獣等の捕獲対象となる動物を捕獲したユーザによる自治体への報奨金の申請および自治体における報奨金に関する情報の管理等を支援するためのシステムである。図１に示すように支援システム１は、端末装置１０および管理装置２０を有する。
【００１３】
また、端末装置１０および管理装置２０は、ネットワーク２を介して通信可能に接続されている。端末装置１０は、ユーザが所持する端末である。以降の説明で、端末装置１０を所持して猟を行うユーザを、ハンターと呼ぶ場合がある。また、支援システム１は、端末装置１０の認証機能等により、所持しているハンターをＩＤ等で識別するものとする。なお、ハンターは、銃や罠等の道具を用いて害獣を捕獲するユーザであってもよい。また、以下では、害獣は、イノシシである場合を一例に挙げて説明するが、報奨金の対象となる動物であるシカや鳥類等の他の害獣であってもよく、広義には、報奨金に関わらず捕獲対象となる動物であればよい。
【００１４】
例えば、端末装置１０は、スマートフォン、タブレット及びデジタルカメラ等の携帯型の端末である。管理装置２０は、支援システム１全体の管理を行う。例えば、管理装置２０は、端末装置１０への専用アプリケーション（以下、専用アプリと記載する場合がある）の提供、および専用アプリを介して端末装置１０からアップロードされた情報の管理を行う。例えば、管理装置２０は、報奨金を申請する自治体に設置された端末装置であってもよく、あるいは、自治体の端末装置からアクセス可能なサーバ装置であってもよい。
【００１５】
ここで、支援システム１における処理の流れについて説明する。支援システム１では、まず、ハンターは、害獣を捕獲した場合、害獣の全体または一部を撮像して、得られた画像情報２１０および撮像時に付与される特定情報２２０を含む画像データ２００を管理装置２０へ送信する。特定情報２２０とは、撮像日時や、撮像場所等といったＥＸＩＦ情報である。
【００１６】
なお、端末装置１０は、管理装置２０から提供される専用アプリによりカメラ機能を起動して害獣を撮像した場合に付加情報２３０（図３参照）や、電子透かし等の隠し情報２４０を付与することができるが、かかる点については、図３および図４で後述する。
【００１７】
そして、支援システム１では、管理装置２０は、端末装置１０から受信した画像データ２００の特定情報２２０に基づき、ユーザによる画像データ２００の取得態様を特定する。取得態様とは、ユーザが画像データ２００をどのようにして取得したかの態様を示す。例えば、取得態様として、画像データ２００の使い回しや、特定情報２２０の改ざん、ウェブ上にアップロードされた第３者の画像データを取得する態様がある。
【００１８】
例えば、管理装置２０は、特定情報２２０が過去の画像データ２００における特定情報２２０と同一であった場合、画像データ２００が使い回しにより取得されたことを特定する。
【００１９】
このように、実施形態に係る管理装置２０は、特定情報２２０を参照することで、画像データ２００の取得態様を容易に特定することができる。また、取得態様を特定することで、不正な画像データ２００による報奨金の申請を防止できる。
【００２０】
次に、図２を用いて、実施形態に係る管理装置２０の構成について説明する。図２は、実施形態に係る管理装置２０の構成例を示すブロック図である。図２に示すように、管理装置２０は、通信部２１と、制御部２２と、記憶部２３とを具備する。
【００２１】
通信部２１は、無線通信処理や有線通信処理を行うためのネットワークデバイスである。例えば、通信部２１は、ネットワーク２を介して端末装置１０との間で各種情報を送受信する。
【００２２】
記憶部２３は、例えば、ＲＡＭ（Random  Access  Memory）、フラッシュメモリ（Flash  Memory）等の半導体メモリ素子、又は、ハードディスク、光ディスク等の記憶装置によって実現される。実施形態に係る記憶部２３は、ユーザ情報２３１と、画像データＤＢ２３２とを記憶する。
【００２３】
ユーザ情報２３１は、ハンターであるユーザに関する情報である。例えば、ユーザ情報２３１は、専用アプリによりユーザが登録した情報であり、例えば、専用アプリにログインするためのユーザＩＤや、パスワード、氏名、住所等の情報が含まれる。
【００２４】
画像データＤＢ２３２は、専用アプリを介して受信した画像データ２００が格納されたデータベースである。
【００２５】
制御部２２は、各種の処理手順等を規定したプログラム及び所要データを格納するための内部メモリを有し、これらによって種々の処理を実行する。制御部２２は、提供部２２ａ、取得部２２ｂおよび特定部２２ｃを具備する。
【００２６】
提供部２２ａは、専用アプリを端末装置１０へ提供する。ハンターは、専用アプリを端末装置１０にインストールし、専用アプリ経由でユーザ情報２３１を登録する。提供部２２ａは、ユーザ情報２３１の登録が完了すると、専用アプリにログインするためのログインＩＤおよびパスワードを発行する。なお、ログインＩＤは、例えば、ユーザＩＤであってもよく、任意の文字列であってもよい。また、パスワードは、ランダムな文字列であってもよく、ユーザに指定された文字列であってもよい。
【００２７】
また、提供部２２ａにより提供される専用アプリは、端末装置１０のカメラ機能を起動するプログラムが組み込まれるとともに、かかるカメラ機能により撮像された画像データ２００に対して特定情報２２０や付加情報２３０、後述の隠し情報２４０等が自動付与されるようにプログラムされている。
【００２８】
つまり、提供部２２ａは、特定情報２２０や付加情報２３０、隠し情報２４０が撮像時に画像データ２００に付与される専用アプリを提供する。
【００２９】
取得部２２ｂは、捕獲対象である動物を撮像した画像データ２００をユーザの端末装置１０を介して取得する。具体的には、取得部２２ｂは、専用アプリ経由で特定情報２２０や、付加情報２３０、隠し情報２４０等が付与された画像データ２００を取得する。
【００３０】
特定部２２ｃは、取得部２２ｂによって取得された画像データ２００の撮像時に付与された特定情報２２０に基づき、ユーザによる画像データ２００の取得対象を特定する。
【００３１】
例えば、特定部２２ｃは、新たに申請された画像データ２００の特定情報２２０と、画像データＤＢ２３２に登録された過去の画像データ２００における特定情報２２０とを比較する。
【００３２】
そして、特定部２２ｃは、比較の結果、特定情報２２０が一致した場合、新たに申請された画像データ２００が使い回しによるものであると特定し、申請不可の通知を端末装置１０へ通知する。これにより、過去の画像データ２００の使い回しによる報奨金の不正申請を防ぐことができる。
【００３３】
また、特定部２２ｃは、付加情報２３０に基づいて取得態様を特定することもできる。かかる点について、図３を用いて説明する。
【００３４】
図３は、特定部２２ｃの処理内容を示す図である。図３では、提供部２２ａの専用アプリにより、画像データ２００には、撮像日時および撮像場所を含む特定情報２２０と、ユーザの識別情報である申請者ＩＤ、撮像日時および撮像場所を含む付加情報２３０とが付与されていることとする。
【００３５】
図３に示すように、特定部２２ｃは、特定情報２２０と、付加情報２３０とを比較し、両者の一致性により画像データ２００の取得態様を特定する。例えば、特定部２２ｃは、特定情報２２０の撮像日時および撮像場所と、付加情報２３０の撮像日時および撮像場所とが一致する場合、正常に取得された画像データ２００であるとして、報奨金の申請を許可する旨をユーザや、自治体に対して通知する。
【００３６】
一方、特定部２２ｃは、特定情報２２０の撮像日時および撮像場所と、付加情報２３０の撮像日時および撮像場所とが一致しない場合、EXIF情報である特定情報２２０が改ざんされたとして報奨金の申請を許可しない（申請不可）旨を通知する。
【００３７】
このように、付加情報２３０を用いることで、特定情報２２０が改ざんされた画像データ２００であることを容易に特定できる。
【００３８】
また、特定部２２ｃは、申請者ＩＤにより識別されるユーザと、実際に申請を行ったユーザとが異なる場合にも、申請不可を通知する。これにより、他のユーザに成りすまして不正に報奨金を申請することを防ぐことができる。
【００３９】
また、特定部２２ｃは、画像データ２００に付加情報２３０がそもそも付加されていない場合には、専用アプリを介して撮像された画像データ２００ではないとして、申請不可を通知する。これにより、例えば、他のユーザの画像データ２００や、ウェブ上に他人がアップした画像データ２００を使って不正に報奨金の申請をすることを防ぐことができる。
【００４０】
また、特定部２２ｃは、専用アプリにより付与された隠し情報２４０に基づいて取得態様を特定してもよい。かかる点について、図４を用いて説明する。
【００４１】
図４は、特定部２２ｃの処理内容を示す図である。図４では、提供部２２ａの専用アプリにより、隠し情報２４０である「これはイノシシです」を画像情報２１０に埋め込むことで、画像データ２００に対して隠し情報２４０を付与する場合について説明する。なお、隠し情報２４０は、管理装置２０により予め指定された情報であり、例えば、ユーザ毎に異なってもよく、申請される画像データ２００毎に異なってもよい。
【００４２】
図４に示すように、端末装置１００は、専用アプリによって撮像時に隠し情報２４０を画像情報２１０に埋め込むことで、埋め込み画像３００を生成する。これは、電子透かしと呼ばれ、画像情報２１０に隠し情報２４０を隠す技術である。すなわち、埋め込み画像３００に埋め込まれた隠し情報２４０は、ユーザから見ることができない情報である。
【００４３】
そして、管理装置２０の特定部２２ｃは、取得した埋め込み画像３００の透かし検出を行って、埋め込み画像３００から隠し情報２４０を検出する。そして、特定部２２ｃは、検出された隠し情報２４０が予め指定された情報と一致する場合、正常の画像データ２００であるとして申請を許可する。
【００４４】
一方、特定部２２ｃは、隠し情報２４０が検出されない、あるいは、予め指定された情報と異なる場合には、不正な画像データ２００であるとして、申請不可を通知する。つまり、特定部２２ｃは、ユーザが認識できない隠し情報２４０により取得態様を特定することで、不正な画像データ２００であるか否かを容易に特定することができる。
【００４５】
なお、隠し情報２４０は、管理装置２０で予め指定された情報である場合に限定されず、例えば、上記した付加情報２３０を隠し情報２４０としてもよい。
【００４６】
また、隠し情報２４０は、テキストデータに限らず、例えば、画像や音声のデータであってもよい。
【００４７】
なお、特定部２２ｃは、専用アプリを介した画像データ２００でない場合には、申請不可の判断をしてもよい。例えば、専用アプリにより、特定情報２２０として、専用アプリ固有の情報を付与してもよく、所定の条件（例えば、ユーザの識別情報や、撮像日時、撮像時間、撮像場所等の条件）に応じて生成される数列を付与した画像データ２００を生成する。そして、特定部２２ｃは、かかる画像データ２００に専用アプリ固有の情報が付与されていない場合や、付与された数列が所定の条件を満たさないと判定した場合、不正な取得態様であるとして、申請不可の判断を行ってもよい。すなわち、特定部２２ｃは、ユーザが専用アプリを介して取得した画像ではないと判定した場合、申請不可の判断を行ってもよい。
【００４８】
次に、図５を用いて、実施形態に係る支援システム１のアプリ登録処理の流れについて説明する。図５は、実施形態に係る支援システム１のアプリ登録処理の処理手順を示すシーケンス図である。
【００４９】
まず、図５に示すように、管理装置２０の提供部２２ａは、端末装置１０に対して専用アプリケーションを提供する（ステップＳ１０１）。つづいて、端末装置１０は、専用アプリを介してユーザにより入力されたユーザ情報を管理装置２０へ送信する（ステップＳ１０２）。
【００５０】
つづいて、管理装置２０は、取得したユーザ情報２３１を記憶部２３に記憶し（ステップＳ１０３）、アプリ登録処理を終了する。
【００５１】
次に、図６を用いて、実施形態に係る支援システム１の申請処理の流れについて説明する。図６は、実施形態に係る支援システム１の申請処理の処理手順を示すシーケンス図である。
【００５２】
まず、図６に示すように、端末装置１０は、専用アプリケーションを起動する（ステップＳ２０１）。つづいて、端末装置１０は、専用アプリにより起動されたカメラ機能により撮像された画像情報２１０を含む画像データ２００を取得する（ステップＳ２０２）。
【００５３】
つづいて、端末装置１０は、画像データ２００に対して各種情報（特定情報２２０、付加情報２３０および隠し情報２４０）を付与する（ステップＳ２０３）。
【００５４】
つづいて、管理装置２０は、端末装置１０から送信される画像データ２００を取得する（ステップＳ２０４）。つづいて、管理装置２０は、画像データ２００に付与された各種情報に基づいて画像データ２００の取得態様の特定処理を行う（ステップＳ２０５）。
【００５５】
つづいて、管理装置２０は、特定処理により特定された取得態様に基づいて申請の許可または、不許可を決定し、端末装置１０へ通知し（ステップＳ２０６）、処理を終了する。
【００５６】
上述したように、実施形態に係る管理装置２０は、取得部２２ｂと、特定部２２ｃとを具備する。取得部２２ｂは、捕獲対象である動物を撮像した画像データ２００をユーザの端末装置１０を介して取得する。特定部２２ｃは、取得部２２ｂによって取得された画像データ２００の撮像時に付与された特定情報２２０と、ユーザの識別情報、撮像日時、および撮像場所の少なくとも１つを含む付加情報２３０を撮像時に画像データ２００に付与させるアプリケーションにより付与された付加情報２３０とに基づき、ユーザによる当該画像データ２００の取得態様を特定する。これにより、画像データ２００の取得態様を容易に特定することができる。
【００５７】
なお、上述した実施形態では、管理装置２０が専用アプリケーションを端末装置１０に配信する場合について説明したが、例えば、各種アプリケーションを配信する他の配信サーバから専用アプリケーションが配信されてもよい。
【００５８】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００５９】
１    支援システム
２    ネットワーク
１０    端末装置
２０    管理装置
２１    通信部
２２    制御部
２２ａ  提供部
２２ｂ  取得部
２２ｃ  特定部
２３    記憶部
２００    画像データ
２１０    画像情報
２２０    特定情報
２３０    付加情報
２４０    隠し情報
【図１】
2020119217.tif 000003
【図２】
2020119217.tif 000004
【図３】
2020119217.tif 000005
【図４】
2020119217.tif 000006
【図５】
2020119217.tif 000007
【図６】
2020119217.tif 000008